(57)【特許請求の範囲】
【請求項１】
目標位置までの車両（Ｖ）の移動軌跡を記憶または演算する移動軌跡設定手段（２３）と、車輪（Ｗｆ）を転舵するアクチュエータ（７）と、車両（Ｖ）が目標位置まで移動する間に移動軌跡設定手段（２３）により記憶または演算された移動軌跡に基づいてアクチュエータ（７）の駆動を制御する制御手段（２２）とを備えた車両の自動操舵装置において、
車輪（Ｗｆ）の転舵角（θ）を検出する転舵角検出手段（Ｓ1 ）と、車両（Ｖ）の移動距離を検出する移動距離検出手段（Ｓ3 ）とを備えてなり、
前記制御手段（２２）は、転舵角検出手段（Ｓ1 ）で検出した転舵角（θ）と移動軌跡に対応する目標転舵角（θｒｅｆ）との偏差（Ｅ）が所定角度以上になったときに、前記移動軌跡に基づくアクチュエータ（７）の駆動を中止し、また前記偏差（Ｅ）が所定角度以上の状態で移動距離検出手段（Ｓ3 ）により検出された移動距離が所定距離以上になったときにも、前記移動軌跡に基づくアクチュエータ（７）の駆動を中止することを特徴とする車両の自動操舵装置。
【請求項２】
目標位置までの車両（Ｖ）の移動軌跡を記憶または演算する移動軌跡設定手段（２３）と、車輪（Ｗｆ）を転舵するアクチュエータ（７）と、車両（Ｖ）が目標位置まで移動する間に移動軌跡設定手段（２３）により記憶または演算された移動軌跡に基づいてアクチュエータ（７）の駆動を制御する制御手段（２２）とを備えた車両の自動操舵装置において、
車輪（Ｗｆ）の転舵角（θ）を検出する転舵角検出手段（Ｓ1 ）を備えてなり、
前記制御手段（２２）は、転舵角検出手段（Ｓ1 ）で検出した転舵角（θ）と移動軌跡に対応する目標転舵角（θｒｅｆ）との偏差（Ｅ）が所定角度以上になったときに、前記移動軌跡に基づくアクチュエータ（７）の駆動を中止し、また前記偏差（Ｅ）が所定角度以上の状態となる時間の累積値が所定時間以上となったときにも、前記移動軌跡に基づくアクチュエータ（７）の駆動を中止することを特徴とする、車両の自動操舵装置。
【請求項３】
目標位置までの車両（Ｖ）の移動軌跡を記憶または演算する移動軌跡設定手段（２３）と、車輪（Ｗｆ）を転舵するアクチュエータ（７）と、車両（Ｖ）が目標位置まで移動する間に移動軌跡設定手段（２３）により記憶または演算された移動軌跡に基づいてアクチュエータ（７）の駆動を制御する制御手段（２２）とを備えた車両の自動操舵装置において、
車輪（Ｗｆ）の転舵角（θ）を検出する転舵角検出手段（Ｓ1 ）と、車両（Ｖ）の移動距離を検出する移動距離検出手段（Ｓ3 ）とを備えてなり、
前記制御手段（２２）は、転舵角検出手段（Ｓ1 ）で検出した転舵角（θ）と移動軌跡に対応する目標転舵角（θｒｅｆ）との偏差（Ｅ）が所定角度以上になったときに、前記移動軌跡に基づくアクチュエータ（７）の駆動を中止し、また前記偏差（Ｅ）が所定角度以上の状態で移動距離検出手段（Ｓ3 ）により検出された移動距離の累積値が所定距離以上になったときにも、前記移動軌跡に基づくアクチュエータ（７）の駆動を中止することを特徴とする、車両の自動操舵装置。
【請求項４】
目標位置までの車両（Ｖ）の移動軌跡を記憶または演算する移動軌跡設定手段（２３）と、車輪（Ｗｆ）を転舵するアクチュエータ（７）と、車両（Ｖ）が目標位置まで移動する間に移動軌跡設定手段（２３）により記憶または演算された移動軌跡に基づいてアクチュエータ（７）の駆動を制御する制御手段（２２）とを備えた車両の自動操舵装置において、
車輪（Ｗｆ）の転舵角（θ）を検出する転舵角検出手段（Ｓ1 ）を備えてなり、
前記制御手段（２２）は、転舵角検出手段（Ｓ1 ）で検出した転舵角（θ）と移動軌跡に対応する目標転舵角（θｒｅｆ）との偏差（Ｅ）が所定角度以上の状態が所定時間以上継続したときに、前記移動軌跡に基づくアクチュエータ（７）の駆動を中止し、
前記所定時間は、前記偏差（Ｅ）の大きさに基づいて変更されることを特徴とする、車両の自動操舵装置。
【請求項５】
前記偏差（Ｅ）の大きさに基づいて前記所定時間を変更することを特徴とする、請求項２に記載の車両の自動操舵装置。
【請求項６】
前記偏差（Ｅ）が大きいほど前記所定時間を短くすることを特徴とする、請求項４または５に記載の車両の自動操舵装置。
【請求項７】
前記偏差（Ｅ）の大きさに基づいて前記所定距離を変更することを特徴とする、請求項１または３に記載の車両の自動操舵装置。
【請求項８】
前記偏差（Ｅ）が大きいほど前記所定距離を短くすることを特徴とする、請求項７に記載の車両の自動操舵装置。
【発明の詳細な説明】
【０００１】
【発明の属する技術分野】
本発明は、ドライバーのステアリング操作によらずに車両を自動的に駐車するための車両の自動操舵装置に関する。
【０００２】
【従来の技術】
かかる車両の自動操舵装置は特開平３−７４２５６号公報、特開平４−５５１６８号公報により既に知られている。これらの車両の自動操舵装置は、従来周知の電動パワーステアリング装置のアクチュエータを利用し、予め記憶した車両の移動距離と規範転舵角との関係に基づいて前記アクチュエータを制御することにより、バック駐車や縦列駐車を自動で行うようになっている。
【０００３】
【発明が解決しようとする課題】
ところで、自動操舵制御を開始するスタート位置までの車両の誘導はドラバー自身のステアリング操作に基づいて行われるため、車両がスタート位置に停止したときの車輪の転舵角はその都度異なっており、その転舵角が自動操舵制御を開始する際の規範転舵角に一致しているとは限らない。自動操舵制御が開始されるとアクチュエータが作動して車輪の転舵角が規範転舵角に一致するように制御されるが、車輪の転舵角が規範転舵角から大きく外れているような場合には両者が一致するまでに時間が掛かり、その間に車両の実際の移動軌跡が目標とする移動軌跡から外れてしまう問題がある。このような不具合は、自動操舵制御の実行中にアクチュエータの故障、転舵角検出手段の故障、制御装置の故障等が起きた場合にも発生する可能性がある。
【０００４】
本発明は前述の事情に鑑みてなされたもので、自動操舵制御による車両の移動軌跡が目標とする移動軌跡から外れるのを未然に防止することを目的とする。
【０００５】
【課題を解決するための手段】
上記目的を達成するために、請求項１の発明は、目標位置までの車両の移動軌跡を記憶または演算する移動軌跡設定手段と、車輪を転舵するアクチュエータと、車両が目標位置まで移動する間に移動軌跡設定手段により記憶または演算された移動軌跡に基づいてアクチュエータの駆動を制御する制御手段とを備えた車両の自動操舵装置において、車輪の転舵角を検出する転舵角検出手段と、車両の移動距離を検出する移動距離検出手段とを備えてなり、前記制御手段は、転舵角検出手段で検出した転舵角と移動軌跡に対応する目標転舵角との偏差が所定角度以上になったときに、前記移動軌跡に基づくアクチュエータの駆動を中止し、また前記偏差が所定角度以上の状態で移動距離検出手段により検出された移動距離が所定距離以上になったときにも、前記移動軌跡に基づくアクチュエータの駆動を中止することを特徴とする。
【０００６】
また請求項２の発明は、目標位置までの車両の移動軌跡を記憶または演算する移動軌跡設定手段と、車輪を転舵するアクチュエータと、車両が目標位置まで移動する間に移動軌跡設定手段により記憶または演算された移動軌跡に基づいてアクチュエータの駆動を制御する制御手段とを備えた車両の自動操舵装置において、車輪の転舵角を検出する転舵角検出手段を備えてなり、前記制御手段は、転舵角検出手段で検出した転舵角と移動軌跡に対応する目標転舵角との偏差が所定角度以上になったときに、前記移動軌跡に基づくアクチュエータの駆動を中止し、また前記偏差が所定角度以上の状態となる時間の累積値が所定時間以上となったときにも、前記移動軌跡に基づくアクチュエータの駆動を中止することを特徴とする。
【０００７】
また請求項３の発明は、目標位置までの車両の移動軌跡を記憶または演算する移動軌跡設定手段と、車輪を転舵するアクチュエータと、車両が目標位置まで移動する間に移動軌跡設定手段により記憶または演算された移動軌跡に基づいてアクチュエータの駆動を制御する制御手段とを備えた車両の自動操舵装置において、車輪の転舵角を検出する転舵角検出手段と、車両の移動距離を検出する移動距離検出手段とを備えてなり、前記制御手段は、転舵角検出手段で検出した転舵角と移動軌跡に対応する目標転舵角との偏差が所定角度以上になったときに、前記移動軌跡に基づくアクチュエータの駆動を中止し、また前記偏差が所定角度以上の状態で移動距離検出手段により検出された移動距離の累積値が所定距離以上になったときにも、前記移動軌跡に基づくアクチュエータの駆動を中止することを特徴とする。
【０００８】
また請求項４の発明は、目標位置までの車両の移動軌跡を記憶または演算する移動軌跡設定手段と、車輪を転舵するアクチュエータと、車両が目標位置まで移動する間に移動軌跡設定手段により記憶または演算された移動軌跡に基づいてアクチュエータの駆動を制御する制御手段とを備えた車両の自動操舵装置において、車輪の転舵角を検出する転舵角検出手段を備えてなり、前記制御手段は、転舵角検出手段で検出した転舵角と移動軌跡に対応する目標転舵角との偏差が所定角度以上の状態が所定時間以上継続したときに、前記移動軌跡に基づくアクチュエータの駆動を中止し、前記所定時間は、前記偏差の大きさに基づいて変更されることを特徴とする。
【０００９】
請求項１〜４の上記構成によれば、転舵角検出手段で検出した転舵角と移動軌跡設定手段で設定した移動軌跡に対応する目標転舵角との偏差が所定角度以上になると、制御手段によるアクチュエータの駆動が中止されるので、車両の実際の移動軌跡が目標とする移動軌跡から外れるのを未然に防止することができる。
【００１０】
前記所定角度は、実施例では１８０°（自動操舵制御開始時）あるいは１０°（自動操舵制御中）に設定されているが、その値は適宜変更可能な設計上の事項である。
【００１１】
また特に請求項４の上記構成によれば、実際の転舵角と目標転舵角との偏差が所定時間に亘って所定角度以上になったときに制御手段によるアクチュエータの駆動を中止するので、車両の実際の移動軌跡が目標とする移動軌跡から外れるのを確実に防止することができる。
【００１２】
前記所定時間は、実施例では２ｓｅｃに設定されているが、その値は適宜変更可能な設計上の事項である。
【００１３】
また特に請求項１の上記構成によれば、実際の転舵角と目標転舵角との偏差が所定角度以上の状態で車両が所定距離以上移動したときに制御手段によるアクチュエータの駆動を中止するので、車両の実際の移動軌跡が目標とする移動軌跡から外れるのを確実に防止することができる。
【００１４】
前記所定距離は、実施例では１ｍに設定されているが、その値は適宜変更可能な設計上の事項である。
【００１５】
また特に請求項２の上記構成によれば、実際の転舵角と目標転舵角との偏差が所定角度以上の状態となる時間の累積値が所定時間以上となったときに制御手段によるアクチュエータの駆動を中止するので、車両の実際の移動軌跡が目標とする移動軌跡から外れるのを確実に防止することができる。
【００１６】
前記所定時間は、実施例では２ｓｅｃよりも長い時間に設定されているが、その値は適宜変更可能な設計上の事項である。
【００１７】
また特に請求項３の上記構成によれば、実際の転舵角と目標転舵角との偏差が所定角度以上の状態で検出された車両の移動距離の累積値が所定距離以上になったときに制御手段によるアクチュエータの駆動を中止するので、車両の実際の移動軌跡が目標とする移動軌跡から外れるのを確実に防止することができる。
【００１８】
前記所定距離は、実施例では１ｍよりも長い時間に設定されているが、その値は適宜変更可能な設計上の事項である。
【００１９】
また請求項５の発明は、請求項２の構成に加えて、前記偏差の大きさに基づいて前記所定時間を変更することを特徴とする。
【００２０】
また請求項６の発明は、請求項４または５の構成に加えて、前記偏差が大きいほど前記所定時間を短くすることを特徴とする。
【００２１】
また請求項７の発明は、請求項１または３の構成に加えて、前記偏差の大きさに基づいて前記所定距離を変更することを特徴とする。
【００２２】
また請求項８の発明は、請求項７の構成に加えて、前記偏差が大きいほど前記所定距離を短くすることを特徴とする。
【００２３】
また特に請求項４〜請求項８の上記構成によれば、実際の転舵角と目標転舵角との偏差が大きいほど自動操舵制御が早く終了するので、車両の移動軌跡が目標とする移動軌跡から大きくずれることがない。
【００２４】
【発明の実施の形態】
以下、本発明の実施形態を、添付図面に示した本発明の実施例に基づいて説明する。
【００２５】
図１〜図７は本発明の一実施例を示すもので、図１は自動操舵装置を備えた車両の全体構成図、図２はバック駐車／左モードの作用説明図、図３はモード選択スイッチおよび自動駐車スタートスイッチを示す図、図４は自動操舵制御開始時における規範転舵角と実転舵角との関係を示すグラフ、図５は自動操舵制御中に制御を中止する第１の条件を示すグラフ、図６は自動操舵制御中に制御を中止する第２の条件を示すグラフ、図７は所定時間および所定距離を設定するテーブルを示す図である。
【００２６】
図１に示すように、車両Ｖは一対の前輪Ｗｆ，Ｗｆおよび一対の後輪Ｗｒ，Ｗｒを備える。ステアリングホイール１と操舵輪である前輪Ｗｆ，Ｗｆとが、ステアリングホイール１と一体に回転するステアリングシャフト２と、ステアリングシャフト２の下端に設けたピニオン３と、ピニオン３に噛み合うラック４と、ラック４の両端に設けた左右のタイロッド５，５と、タイロッド５，５に連結された左右のナックル６，６とによって接続される。ドライバーによるステアリングホイール１の操作をアシストすべく、あるいは後述する車庫入れのための自動操舵を行うべく、電気モータよりなるステアリングアクチュエータ７がウオームギヤ機構８を介してステアリングシャフト２に接続される。
【００２７】
操舵制御装置２１は制御部２２と記憶部２３とから構成されており、制御部２２には、ステアリングホイール１の回転角に基づいて前輪Ｗｆ，Ｗｆの転舵角θを検出する転舵角検出手段Ｓ1 と、ステアリングホイール１の操舵トルクを検出する操舵トルク検出手段Ｓ2 と、左右の前輪Ｗｆ，Ｗｆの回転角を検出する前輪回転角検出手段Ｓ3 ，Ｓ3 と、ブレーキペダル９の操作量を検出するブレーキ操作量検出手段Ｓ4 と、セレクトレバー１０により選択されたシフトレンジ（「Ｄ」レンジ、「Ｒ」レンジ、「Ｎ」レンジ、「Ｐ」レンジ等）を検出するシフトレンジ検出手段Ｓ5 と、車両Ｖの前部、中央部及び後部に設けられた合計８個の物体検出手段Ｓ6 …とからの信号が入力される。物体検出手段Ｓ6 …は公知のソナー、レーダー、テレビカメラ等から構成される。尚、８個の物体検出手段Ｓ6 …と制御部２２とを接続するラインは、図面の煩雑化を防ぐために省略してある。制御部２２は本発明の制御手段を構成し、記憶部２３は本発明の移動軌跡設定手段を構成する。
【００２８】
図３を併せて参照すると明らかなように、ドライバーにより操作されるモード選択スイッチＳ7 および自動駐車スタートスイッチＳ8 が制御部２２に接続される。モード選択スイッチＳ7 は、後述する４種類の駐車モード、即ちバック駐車／右モード、バック駐車／左モード、縦列駐車／右モードおよび縦列駐車／左モードの何れかを選択する際に操作される４個のボタンを備える。自動駐車スタートスイッチＳ8 は、モード選択スイッチＳ7 で選択した何れかのモードによる自動駐車を開始する際に操作される。
【００２９】
記憶部２３には、前記４種類の駐車モードのデータ、即ち車両Ｖの移動距離Ｘに対する規範転舵角θｒｅｆの関係が、予めテーブルとして記憶されている。車両Ｖの移動距離Ｘは、既知である前輪Ｗｆの周長に前輪回転角検出手段Ｓ3 ，Ｓ3 で検出した前輪Ｗｆの回転角を乗算することにより求められる。尚、前記移動距離Ｘの算出には、左右一対の前輪回転角検出手段Ｓ3 ，Ｓ3 の出力のハイセレクト値、ローセレクト値、あるいは平均値が使用される。前輪回転角検出手段Ｓ3 ，Ｓ3 は本発明の移動距離検出手段を構成する。
【００３０】
制御部２２は、前記各検出手段Ｓ1 〜Ｓ6 およびスイッチＳ7 ，Ｓ8 からの信号と、記憶部２３に記憶された駐車モードのデータとに基づいて、前記ステアリングアクチュエータ７の作動と、液晶モニター、スピーカ、ランプ、チャイム、ブザー等を含む操作段階教示装置１１の作動とを制御する。
【００３１】
次に、前述の構成を備えた本発明の実施例の作用について説明する。
【００３２】
自動駐車を行わない通常時（前記モード選択スイッチＳ7 が操作されていないとき）には、操舵制御装置２１は一般的なパワーステアリング制御装置として機能する。具体的には、ドライバーが車両Ｖを旋回させるべくステアリングホイール１を操作すると、操舵トルク検出手段Ｓ2 がステアリングホイール１に入力された操舵トルクを検出し、制御部２２は前記操舵トルクに基づいてステアリングアクチュエータ７の駆動を制御する。その結果、ステアリングアクチュエータ７の駆動力によって左右の前輪Ｗｆ，Ｗｆが転舵され、ドライバーのステアリング操作がアシストされる。
【００３３】
次に、バック駐車／左モード（車両Ｖの左側にある駐車位置にバックしながら駐車するモード）を例にとって、自動駐車制御の内容を説明する。
【００３４】
先ず、図２（Ａ）に示すように、ドライバー自身のステアリング操作により車両Ｖを駐車しようとする車庫の近傍に移動させ、車体の左側面を車庫入口線にできるだけ近づけた状態で、予め決められた基準（例えば、ドアの内側に設けられたマークやサイドミラー）が車庫の中心線に一致する位置（スタート位置(1) ）に車両Ｖを停止させる。そして、バック駐車／左モードによる自動駐車を行うべく、モード選択スイッチＳ7 のバック駐車／左モードに対応するボタン（図３参照）を押すと、そのボタンが点滅するとともに操作段階教示装置１１のスピーカが「左バック駐車です。」と報知する。
【００３５】
図４に示すように、記憶部２３に記憶されたバック駐車／左モードの規範転舵角θｒｅｆの初期値は０°であり、従って前輪Ｗｆ，Ｗｆは転舵されていない状態から自動駐車制御が開始されるが、そのときの前輪Ｗｆ，Ｗｆの実際の転舵角θは必ずしも０°に一致しているとは限らない。モード選択スイッチＳ7 のボタンが点灯している状態で、時刻ｔ0 にドライバーが自動駐車スタートスイッチＳ8 を押すと、そのボタンが点灯して自動駐車制御が開始される。自動駐車制御が開始された瞬間の規範転舵角θｒｅｆは初期値は０°であり、例えば１秒後の時刻ｔ1 にドライバーが車両Ｖを発進させると、車両Ｖの移動距離Ｘに応じて規範転舵角θｒｅｆは初期値の０°から右操舵方向に増加する。
【００３６】
さて、時刻ｔ0 にドライバーが自動駐車スタートスイッチＳ8 を押した瞬間の前輪Ｗｆ，Ｗｆの実際の転舵角θが±１８０°未満であれば、その転舵角θを規範転舵角θｒｅｆに一致させるべくステアリングアクチュエータ７が駆動され、転舵角θは０°に向かって収束する。そしてドライバーが車両Ｖを発進させる時刻ｔ1 迄に転舵角θは規範転舵角θｒｅｆの初期値である０°に一致するため、車両Ｖは発進と同時に規範移動軌跡上を移動することができる。この場合には、ドライバーが自動駐車スタートスイッチＳ8 を押したときに、操作段階教示装置１１のスピーカが「自動駐車開始できます。」と報知する。
【００３７】
一方、時刻ｔ0 にドライバーが自動駐車スタートスイッチＳ8 を押した瞬間の前輪Ｗｆ，Ｗｆの実際の転舵角θが±１８０°以上であれば、その転舵角θを規範転舵角θｒｅｆに一致させるべくステアリングアクチュエータ７が作動しても、車両Ｖが発進する時刻ｔ1 に転舵角θは規範転舵角θｒｅｆの初期値である０°に達することができず、かなりの転舵角θが残存してしまう。この状態から時刻ｔ1 に車両Ｖが発進すると、転舵角θが規範転舵角θｒｅｆに一致するまでの間の車両Ｖの移動により、車両Ｖの実際の移動軌跡が規範移動軌跡からずれてしまう。
【００３８】
この場合には、ドライバーが自動駐車スタートスイッチＳ8 を操作した時点で、操作段階教示装置１１のスピーカが「ハンドルが切れすぎています。」あるいは「ハンドルをまっすぐにしてください。」と報知し、同時に自動駐車制御が中止される。尚、ドライバーがモード選択スイッチＳ7 を操作した時点で上記報知を行うようにすれば、ドライバーはステアリングホイール１を操作して転舵角θを±１８０°未満に減少させた後に自動駐車スタートスイッチＳ8 を操作することが可能になり、自動駐車制御が中止される頻度を減らして使い勝手を向上させることができる。
【００３９】
以上説明したように、記憶部２３に記憶された規範転舵角θｒｅｆと転舵角検出手段Ｓ1 で検出した実際の転舵角θとを比較し、その偏差Ｅ（＝θｒｅｆ−θ）が所定角度（実施例では１８０°）以上である場合に自動駐車制御を中止するので、自動駐車制御により車両Ｖが予期せぬ方向に移動するのを確実に回避することができる。
【００４０】
自動駐車制御が開始されると操作段階教示装置１１のスピーカが「ゆっくりと前進してください。」と報知する。自動駐車制御が行われている状態では、操作段階教示装置１１には自車の現在位置、周囲の障害物、駐車位置、スタート位置から駐車位置までの自車の予想移動軌跡、前進から後進に切り換える折り返し位置等が表示され、併せてスピーカからの音声でドライバーに各種の指示や警報が行われる。この自動駐車制御中には、ドライバーがブレーキペダル９を緩めて車両Ｖをクリープ走行させるだけでステアリングホイール１を操作しなくても、モード選択スイッチＳ7 により選択されたバック駐車／左モードのデータに基づいて前輪Ｗｆ，Ｗｆが自動操舵される。
【００４１】
即ち、スタート位置(1) から折り返し位置(2) まで車両Ｖが前進する間は前輪Ｗｆ，Ｗｆは右に自動操舵される。車両Ｖが折り返し位置(2) に達すると、操作段階教示装置１１のスピーカが「停止してシフトチェンジしてください。」と報知し、ドライバーがシフトチェンジすると「ゆっくりと後進してください。」と報知する。折り返し位置(2) から目標位置(3) まで車両Ｖが後進する間は前輪Ｗｆ，Ｗｆは左に自動操舵される。そして車両Ｖが目標位置(3) に達すると、操作段階教示装置１１のスピーカが「左バック駐車終了です。停車してください。」と報知して自動駐車制御が終了する。
【００４２】
図２（Ｂ）から明らかなように、自動操舵が行われている間、制御部２２は記憶部２３から読み出したバック駐車／左モードの規範転舵角θｒｅｆと、転舵角検出手段Ｓ1 から入力された転舵角θとに基づいて偏差Ｅ（＝θｒｅｆ−θ）を算出し、その偏差Ｅが０になるようにステアリングアクチュエータ７の作動を制御する。このとき、規範転舵角θｒｅｆのデータは車両Ｖの移動距離Ｘに対応して設定されているため、クリープ走行の車速に多少の変動があっても車両Ｖは常に前記移動軌跡上を移動することになる。
【００４３】
上記自動駐車制御は、ドライバーが自動駐車スタートスイッチＳ8 を再度押した場合に解除されるが、それ以外にもドライバーがブレーキペダル９を緩め過ぎて車速が自動駐車制御に適した最大車速（例えば、５ｋｍ／ｈ）を越えた場合、ドライバーがステアリングホイール１を操作した場合、何れかの障害物検出手段Ｓ6 が障害物を検出した場合に解除され、通常のパワーステアリング制御に復帰する。
【００４４】
上記自動駐車制御が正常に実行されていれば、規範転舵角θｒｅｆと実転舵角θとの偏差Ｅが０に収束するようにステアリングアクチュエータ７が制御される。しかしながら、転舵角検出手段Ｓ1 が故障して正確な転舵角θが検出できなくなった場合や、ステアリングアクチュエータ７が故障して前輪Ｗｆ，Ｗｆを正常に転舵できなくなった場合や、過積載のようなシステム適用範囲外の使用条件によりステアリングアクチュエータ７がスムーズに作動しないような場合には、前記偏差Ｅが速やかに０に収束しない場合があり、このような場合にも規範移動軌跡からの逸脱を回避すべく自動駐車制御が中止される。
【００４５】
図５はその具体例を示すもので、ラインＡで示す正常状態では、時刻Ｔ0 に閾値（実施例では３０°）より大きくなった偏差Ｅがステアリングアクチュエータ７の作動により次第に減少し、所定時間（実施例では２ｓｅｃ）が経過した時刻Ｔ1 に偏差Ｅは閾値（実施例では３０°）未満に減少する。一方、転舵角検出手段Ｓ1 やステアリングアクチュエータ７が故障したような異常状態では、ラインＢ，Ｄで示すように偏差Ｅが減少せず、時刻Ｔ1 になっても偏差Ｅが閾値未満にならない場合がある。また過積載によりステアリングアクチュエータ７がスムーズに作動しないような異常状態では、ラインＣで示すように偏差Ｅが速やかに減少せず、時刻Ｔ1 になっても偏差Ｅが閾値未満にならない場合がある。
【００４６】
このような場合には、規範移動軌跡からの逸脱を回避すべく自動駐車制御が中止され、併せて操作段階教示装置１１により異常状態の発生がドライバーに報知される。その結果、自動駐車制御により車両Ｖが予期せぬ方向に移動するのを確実に回避することができる。
【００４７】
図５の実施例では、偏差Ｅが閾値より大きくなってから所定時間内に閾値以下となるか否かにより異常状態を判定しているが、図６の実施例に示すように、車両Ｖの移動距離Ｘを基準にして異常状態を判定しても良い。即ち、車両Ｖの移動距離がＸ0 のときに閾値（実施例では３０°）より大きくなった偏差Ｅが、そこから車両Ｖが所定距離（実施例では１ｍ）移動して移動距離がＸ1 になる前に閾値（実施例では３０°）未満となれば、正常状態であると判定して自動駐車制御を継続するとともに（ラインＡ参照）、前記移動距離がＸ1 になった時点で偏差Ｅが閾値以上であれば、異常状態であると判定して自動駐車制御を中止しても良い（ラインＢ，Ｃ，Ｄ参照）。
【００４８】
前記所定時間について詳述すると、図５の実施例において、複数の閾値（例えば、閾値１、閾値２および閾値３）を設定し、偏差Ｅがより大きい閾値以上となれば、それに応じてより短い所定時間（例えば、Ｔ1 ，Ｔ2 ，Ｔ3 ）に持ち替えるようにしても良い。このとき、閾値と所定時間との関係を、図７（Ａ）に示すようなテーブルで設定することができる。また前記所定距離について詳述すると、図６の実施例において、複数の閾値（例えば、閾値１、閾値２および閾値３）を設定し、偏差Ｅがより大きい閾値以上となれば、それに応じてより短い所定距離（例えば、Ｘ1 ，Ｘ2 ，Ｘ3 ）に持ち替えるようにしても良い。このとき、閾値と所定距離との関係を、図７（Ｂ）に示すようなテーブルで設定することができる。これにより、目標とする移動軌跡に対して実際の移動軌跡が大きくずれたような場合に、早い時点で的確に自動駐車制御を中止することができる。
【００４９】
次に、前記図５および図６の実施例を変形した実施例を図８および図９に基づいて説明する。
【００５０】
この実施例では、先ず、偏差Ｅが閾値を越えている時間の累積値が予め設定された所定時間を越えた場合、あるいは偏差Ｅが閾値を越えている間の車両の移動距離の累積値が予め設定された所定距離を越えた場合に、自動駐車制御を中止するものである。即ち、ラインＥで示すように偏差Ｅが閾値を越えている時間ＴA が第１の所定時間Ｔ1 以上になるか、あるいは偏差Ｅが閾値を越えている間の移動距離ＸA が第１の所定距離Ｘ1 以上になると自動駐車制御が中止される。
【００５１】
ところで、ラインＦで示すように、前記第１の所定時間Ｔ1 あるいは第１の所定距離Ｘ1 には満たないが偏差Ｅが閾値を頻繁に越えるような場合に、偏差Ｅが閾値を越えている時間ＴB ，ＴC および偏差Ｅが閾値を越えている間の車両の移動距離ＸB ，ＸC がそれぞれＴB ＞Ｔ1 、ＴC ＞Ｔ1 、ＸB ＞Ｘ1 、ＸC ＞Ｘ1 の条件を満たしていないために自動駐車制御が中止されずに継続されると、目標とする移動軌跡と実際の移動軌跡との誤差が次第に累積されて最終的に目標とする移動軌跡を大きく外れてしまう可能性がある。
【００５２】
そこで本実施例では、ラインＦで示すように、偏差Ｅが閾値を越えている時間ＴB ，ＴC の累積値、あるいは偏差Ｅが閾値を越えている間の移動距離ＸB ，ＸC の累積値をカウンタ等で算出し、これら累積値がそれぞれ第２の所定時間Ｔ4 あるいは第２の所定距離Ｘ4 を上回ったときに自動駐車制御が中止される。即ち、ＴB ＋ＴC ＞Ｔ4 あるいはＸB ＋ＸC ＞Ｘ4 という条件を満たせば自動駐車制御が中止されることになる。これにより、前記移動軌跡のずれが蓄積された結果、実際の移動軌跡が目標とする移動軌跡から大きく外れるのを防止することができる。ここで、第１の所定時間Ｔ1 と第２の所定時間Ｔ4 とは、Ｔ1 ≦Ｔ4 となるように設定され、また第１の所定距離Ｘ1 と第２の所定距離Ｘ4 とは、Ｘ1 ≦Ｘ4 となるように設定される。
【００５３】
尚、上記図８の実施例および図９の実施例において、偏差Ｅが閾値を越えている時間、あるいは偏差Ｅが閾値を越えている間の移動距離が所定時間あるいは所定距離を越えているか否かという条件（ＴA ＞Ｔ1 、ＸA ＞Ｘ1 、ラインＥ参照）と、図８の実施例および図９の実施例で示した偏差Ｅが閾値を越えている時間の累積値、あるいは偏差Ｅが閾値を越えている間の移動距離の累積値が所定時間あるいは所定距離を越えているか否かという条件（ＴB ＋ＴC ＞Ｔ4 、ＸB ＋ＸC ＞Ｘ4 、ラインＦ参照）との何れか一方を用いて自動駐車制御を中止するように構成しても良いし、両方の条件を併用して何れか一方の条件が成立したときに自動駐車制御を中止するように構成しても良い。
【００５４】
以上、本発明の実施例を詳述したが、本発明はその要旨を逸脱しない範囲で種々の設計変更を行うことが可能である。
【００５５】
例えば、実施例では目標位置までの車両Ｖの移動軌跡が予め記憶部２３に記憶されているが、車両Ｖの現在位置および目標位置から前記移動軌跡を算出することも可能である。また実施例では自動駐車のスタート位置を車庫の中心線を基準に設定しているが、これに限らず車庫の両端間の任意の位置を基準に設定することができる。
【００５６】
【発明の効果】
以上のように本発明によれば、転舵角検出手段で検出した転舵角と移動軌跡設定手段で設定した移動軌跡に対応する目標転舵角との偏差が所定角度以上になると、制御手段によるアクチュエータの駆動が中止されるので、車両の実際の移動軌跡が目標とする移動軌跡から外れるのを未然に防止することができる。
【００５７】
また特に請求項４の発明によれば、実際の転舵角と目標転舵角との偏差が所定時間に亘って所定角度以上になったときに制御手段によるアクチュエータの駆動を中止するので、車両の実際の移動軌跡が目標とする移動軌跡から外れるのを確実に防止することができる。
【００５８】
また特に請求項１の発明によれば、実際の転舵角と目標転舵角との偏差が所定角度以上の状態で車両が所定距離以上移動したときに制御手段によるアクチュエータの駆動を中止するので、車両の実際の移動軌跡が目標とする移動軌跡から外れるのを確実に防止することができる。
【００５９】
また特に請求項２の発明によれば、実際の転舵角と目標転舵角との偏差が所定角度以上の状態となる時間の累積値が所定時間以上となったときに制御手段によるアクチュエータの駆動を中止するので、車両の実際の移動軌跡が目標とする移動軌跡から外れるのを確実に防止することができる。
【００６０】
また特に請求項３の発明によれば、実際の転舵角と目標転舵角との偏差が所定角度以上の状態で検出された車両の移動距離の累積値が所定距離以上になったときに制御手段によるアクチュエータの駆動を中止するので、車両の実際の移動軌跡が目標とする移動軌跡から外れるのを確実に防止することができる。
【００６１】
また特に請求項４〜請求項８の発明によれば、実際の転舵角と目標転舵角との偏差が大きいほど自動操舵制御が早く終了するので、車両の移動軌跡が目標とする移動軌跡から大きくずれることがない。
【図面の簡単な説明】
【図１】  自動操舵装置を備えた車両の全体構成図
【図２】  バック駐車／左モードの作用説明図
【図３】  モード選択スイッチおよび自動駐車スタートスイッチを示す図
【図４】  自動操舵制御開始時における規範転舵角と実転舵角との関係を示すグラフ
【図５】  自動操舵制御中に制御を中止する第１の条件を示すグラフ
【図６】  自動操舵制御中に制御を中止する第２の条件を示すグラフ
【図７】  所定時間および所定距離を設定するテーブルを示す図
【図８】  図５の実施例の変形実施例を説明するグラフ
【図９】  図６の実施例の変形実施例を説明するグラフ
【符号の説明】
７          ステアリングアクチュエータ（アクチュエータ）
２２        制御部（制御手段）
２３        記憶部（移動軌跡設定手段）
Ｅ          偏差
Ｓ1         転舵角検出手段
Ｓ3         前輪回転角検出手段（移動距離検出手段）
Ｖ          車両
Ｗｆ        前輪（車輪）
θ          転舵角
θｒｅｆ    規範転舵角（目標転舵角）
【図１】
0003881776.tif 000002
【図２】
0003881776.tif 000003
【図３】
0003881776.tif 000004
【図４】
0003881776.tif 000005
【図５】
0003881776.tif 000006
【図６】
0003881776.tif 000007
【図７】
0003881776.tif 000008
【図８】
0003881776.tif 000009
【図９】
0003881776.tif 000010